(57)【要約】【課題】アンテナ装置のマッチングを確実にとるとともに、マッチング部の構成の簡素化、調整作業の容易化を図る上で有利なアンテナ装置を提供する。【解決手段】マッチング部２６は、同軸ケーブル２０の端部とアンテナ本体２８の端部とを接続し、同軸ケーブル２０の特性インピーダンスに対してアンテナ本体２８のインピーダンスの整合をとるものであり、マッチング部２６は、接合部２６０２と、マッチング導体２６０４と、接合部絶縁体２６０６と、カバー２６０８とを備えている。マッチング導体２６０４は、第１の絶縁体２２０４から突出した内部導体２２０２の部分を覆い、かつ、内部導体２２０２との間に誘電体２６１２を隔てて配設され、マッチング導体２６は半径方向内側に塑性変形可能な導電材料から形成されている。マッチング導体２６は同軸ケーブル２０の外部導体２２０６に電気的に接続されている。【選択図】        図３
2007134773.tif 000002
【特許請求の範囲】
【請求項１】
内部導体と、前記内部導体を被覆する第１の絶縁体と、前記第１の絶縁体の外側を覆う外部導体とを有し、通信装置に接続される同軸ケーブルと、
導線と前記導線を被覆する第２の絶縁体とを有し線状に形成されたアンテナ本体と、
前記同軸ケーブルの端部と前記アンテナ本体の端部とを接続し、前記同軸ケーブルの特性インピーダンスに対して前記アンテナ本体のインピーダンスの整合をとるマッチング部とを有するアンテナ装置であって、
前記マッチング部は、
前記同軸ケーブルの端部において前記第１の絶縁体から突出した前記内部導体と、前記アンテナ本体の端部において前記第２の絶縁体から突出した前記導線とを電気的に接続した接合部と、
前記第１の絶縁体から突出した前記内部導体の部分を覆い、かつ、前記内部導体の部分との間に誘電体を隔てて配設された導電材料からなる筒状のマッチング導体とを備え、
前記マッチング導体の軸方向の一端は前記外部導体に電気的に接続され、
前記マッチング導体は、その半径方向内側に塑性変形可能な材料で形成されている、
ことを特徴とするアンテナ装置。
【請求項２】
前記マッチング導体は、前記内部導体の部分および前記接合部を覆い、かつ、前記内部導体の部分および前記接合部との間に前記誘電体を隔てて配設されていることを特徴とする請求項１記載のアンテナ装置。
【請求項３】
前記第１の絶縁体から突出した前記内部導体の部分と、前記第２の絶縁体から突出した前記導線の部分と、前記接合部とで導体部分が構成され、前記導体部分を覆い、かつ、前記導体部分との間に誘電体を隔てて筒状の接合部絶縁体が設けられ、前記接合部絶縁体は、前記導体部分に近接する方向に塑性変形可能な絶縁材料で形成され、前記接合部絶縁体は前記マッチング導体の内周面に密着して設けられていることを特徴とする請求項１記載のアンテナ装置。
【請求項４】
前記第１の絶縁体から突出した前記内部導体の部分と、前記第２の絶縁体から突出した前記導線の部分と、前記接合部とで導体部分が構成され、前記導体部分を覆う前記マッチング導体の部分に、その半径方向内側に塑性変形された変形部が設けられていることを特徴とする請求項１記載のアンテナ装置。
【請求項５】
前記第１の絶縁体から突出した前記内部導体の部分と、前記第２の絶縁体から突出した前記導線の部分と、前記接合部とで導体部分が構成され、前記第１の絶縁体から突出した前記内部導体の部分と、前記第２の絶縁体から突出した前記導線の部分と、前記接合部とからなる導体部分を覆い、かつ、前記導体部分との間に誘電体を隔てて筒状の接合部絶縁体が設けられ、前記接合部絶縁体は、前記導体部分に近接する方向に塑性変形可能な絶縁材料で形成され、前記マッチング導体の前記一端を除く部分は前記接合部絶縁体の外周面を覆うように取着され、前記接合部絶縁体を介して前記導体部分を覆う前記マッチング導体の部分に、その半径方向内側に塑性変形された変形部が設けられ、前記変形部を覆う前記接合部絶縁体部分に、その半径方向内側に組成変形された変形部が設けられていることを特徴とする請求項１記載のアンテナ装置。
【請求項６】
前記第１の絶縁体から突出した前記内部導体の部分と、前記第２の絶縁体から突出した前記導線の部分と、前記接合部とで導体部分が構成され、前記マッチング導体と前記導体部分とが分布定数で構成された静電容量で結合され、前記マッチング部による前記整合は、前記マッチング導体の内周面と前記導体部分との間の距離を調節することでなされることを特徴とする請求項１記載のアンテナ装置。
【請求項７】
前記同軸ケーブルは前記外部導体を被覆する外側絶縁体を有し、前記外側絶縁体と前記第２の絶縁体との間にわたって設けられ前記マッチング導体を覆う絶縁材料からなるカバーを備えることを特徴とする請求項１記載のアンテナ装置。
【請求項８】
前記誘電体は空気であることを特徴とする請求項１記載のアンテナ装置。
【請求項９】
前記アンテナ本体は可撓可能に構成されていることを特徴とする請求項１記載のアンテナ装置。
【請求項１０】
前記マッチング導体は銅テープあるいは銅箔で形成されていることを特徴とする請求項１記載のアンテナ装置。
【請求項１１】
前記アンテナ本体と前記同軸ケーブルとが接続されることにより、人間の頸部に掛止可能な大きさの環状体が形成されることを特徴とする請求項１記載のアンテナ装置。
【発明の詳細な説明】
【技術分野】
【０００１】
本発明はアンテナ装置に関する。
【背景技術】
【０００２】
無線機にアンテナ装置を接続して電波の送受信を行う場合、アンテナ装置から効率よく電波を送信するためには、無線機とアンテナ装置との間にマッチング部を設け、無線機側の特性インピーダンスに対してアンテナ装置のインピーダンスを合致させることでインピーダンスの整合をとる（マッチングをとる）必要がある。
従来、この種のマッチング部として、誘電体の誘電率を変えるもの（特許文献１参照）、可変コンデンサを調整するもの（特許文献２参照）などが提案されている。
【特許文献１】特開平５−３４７５０８号公報
【特許文献２】特開２０００−２９５０２５号公報
【発明の開示】
【発明が解決しようとする課題】
【０００３】
しかしながら、上述した何れのアンテナ装置においても、マッチング部の構成が複雑で部品点数も多く調整作業が繁雑でコストがかかるという不利があった。
本発明はこのような事情に鑑みなされたものであり、その目的は、アンテナ装置のマッチングを確実にとるとともに、マッチング部の構成の簡素化、調整作業の容易化を図る上で有利なアンテナ装置を提供することにある。
【課題を解決するための手段】
【０００４】
上述の目的を達成するため、本発明は、内部導体と、前記内部導体を被覆する第１の絶縁体と、前記第１の絶縁体の外側を覆う外部導体とを有し、通信装置に接続される同軸ケーブルと、導線と前記導線を被覆する第２の絶縁体とを有し線状に形成されたアンテナ本体と、前記同軸ケーブルの端部と前記アンテナ本体の端部とを接続し、前記同軸ケーブルの特性インピーダンスに対して前記アンテナ本体のインピーダンスの整合をとるマッチング部とを有するアンテナ装置であって、前記マッチング部は、前記同軸ケーブルの端部において前記第１の絶縁体から突出した前記内部導体と、前記アンテナ本体の端部において前記第２の絶縁体から突出した前記導線とを電気的に接続した接合部と、前記第１の絶縁体から突出した前記内部導体の部分を覆い、かつ、前記内部導体の部分との間に誘電体を隔てて配設された導電材料からなる筒状のマッチング導体とを備え、前記マッチング導体の軸方向の一端は前記外部導体に電気的に接続され、前記マッチング導体は、その半径方向内側に塑性変形可能な材料で形成されていることを特徴とする。
【発明の効果】
【０００５】
本発明によれば、内部導体の部分を覆い、かつ、半径方向内側に塑性変形可能な導電材料で形成された筒状のマッチング導体を設けたので、マッチング部によるインピーダンスの整合を、例えば、指により、あるいは、工具により、あるいは、ロボットにより、マッチング導体に変形部を設けることで簡単に行うことができる。
【発明を実施するための最良の形態】
【０００６】
次に本発明の実施の形態について図面を参照して説明する。
本発明に係るアンテナ装置を説明する前に、そのアンテナ装置が接続される無線機について説明する。
図１は本実施の形態におけるアンテナ装置２０が接続される無線機１０（特許請求の範囲の通信装置に相当）の構成を示すブロック図である。
本実施の形態では、無線機はワイヤレスマイク装置である。
無線機１０はケース１２を備え、ケース１２には、マイクロフォン１４、音声信号処理部１６、無線信号処理部１８が設けられている。
マイクロフォン１４は、ケース１２の外方に臨む箇所に設けられ、無線機１０を携帯しているユーザやその周辺の音声を収音してアナログ信号としての音声信号として出力するように構成されている。
音声信号処理部１６は、マイクロフォン１４から供給される音声信号を信号処理することにより所定のデータ圧縮方式に基づいて圧縮されたデジタル信号として出力するように構成されている。
無線信号処理部１８は、音声信号処理部１６から供給されるデジタル信号としての音声信号を所定の無線通信方式の電波（無線信号）に変調して本発明に係るアンテナ装置２０を介して送信させるように構成されている。
無線信号処理部１８には、アンテナ装置２０のコネクタ２４（図２参照）が装脱される不図示のコネクタが設けられており、前記電波は前記コネクタを介してアンテナ装置２０に与えられるように構成されている。
なお、アンテナ装置２０から送信された電波は不図示の受信装置に設けられた受信アンテナで受信され、受信装置は受信した電波を音声信号に復調し、復調した音声信号を用いてスピーカから音声を発生させ、あるいは、音声信号を所定の記録媒体に記録する。
【０００７】
本実施の形態では、無線信号処理部１８の無線通信方式として、例えばＢｌｕｅｔｏｏｔｈ方式を用いている。
Ｂｌｕｅｔｏｏｔｈ方式は無線通信方式の一種であり、２．４ＧＨｚの周波数帯域を用いた周波数変調を行うものである。
一般的に２．４ＧＨｚの帯域を用いた無線通信では、周囲の環境にもよるが電波の到達距離を数十ｍ以上確保することが可能であり、従来のＦＭ電波（例えば８０ＭＨｚの帯域）を用いたワイヤレスマイク装置では電波の到達距離が数ｍであったのに比較して極めて有利である。
なお、無線通信方式（変調方式）としては、Ｂｌｕｅｔｏｏｔｈ方式に限定されるものではなく、従来公知の様々な方式を採用可能であり、例えば、無線ＬＡＮで広く用いられているＣＣＫ（Ｃｏｍｐｌｅｍｅｎｔａｒｙ  Ｃｏｄｅ  Ｋｅｙｉｎｇ）変調方式やＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式などを用いることができる。
【０００８】
次にアンテナ装置２０について説明する。
図２はアンテナ装置２０の構成を示す図である。
アンテナ装置２０は、同軸ケーブル２２と、同軸ケーブル２２の一端に設けられたコネクタ２４と、同軸ケーブル２２の他端に接続されるマッチング部２６と、マッチング部２６に接続されるアンテナ本体２８とを備えている。
【０００９】
図３はアンテナ装置２０の構造を示す断面図である。
同軸ケーブル２２は、導電材料で形成された内部導体２２０２と、絶縁材料で形成され内部導体２２０２を被覆する第１の絶縁体２２０４と、導電材料で形成され第１の絶縁体２２０４の外側を覆う外部導体２２０６と、絶縁材料で形成され外部導体２２０６を被覆する外側絶縁体２２０８とを有し、可撓性を有している。
アンテナ本体２８は、導電材料で形成された導線２８０２と、絶縁材料で形成され導線２８０２を被覆する第２の絶縁体２８０４とを有し、線状に形成され、可撓性を有している。
【００１０】
マッチング部２６は、同軸ケーブル２０の端部とアンテナ本体２８の端部とを接続し、同軸ケーブル２０の特性インピーダンスに対してアンテナ本体２８のインピーダンスの整合をとるものである。
具体的に説明すると、マッチング部２６は、接合部２６０２と、マッチング導体２６０４と、接合部絶縁体２６０６と、カバー２６０８とを備えている。
接合部２６０２は、同軸ケーブル２２の端部において第１の絶縁体２２０４から突出した内部導体２２０２と、アンテナ本体２８の端部において第２の絶縁体２８０４から突出した導線２８０２とを電気的に接続した部分であり、本実施の形態では、半田付けされた部分によって接合部２６０２が形成されている。
したがって、本実施の形態では、第１の絶縁体２２０４から突出した内部導体２２０２の部分と、第２の絶縁体２８０４から突出した導線２８０２の部分と、接合部２６０２とにより導体部分２６１０が構成されている。
【００１１】
本実施の形態では、接合部絶縁体２６０６は、導体部分２６１０の全域を覆うように第１の絶縁体２２０４の端部から第２の絶縁体２８０４の端部とにわたって筒状に設けられ、導体部分２６１０に近接する方向に（半径方向内側に）塑性変形可能な絶縁材料から形成されている。
詳細に説明すると、接合部絶縁体２６０６の軸方向の一端は、第１の絶縁体２２０４の外周面に嵌合されて取着され、接合部絶縁体２６０６の軸方向の他端は、第２の絶縁体２８０４の外周面に嵌合されて取着されている。そして、導体部分２６１０の外周面とこの導体部分２６１０を覆う接合部絶縁体２６０６の部分の内周面との間に環状の隙間が確保され、この環状の隙間に誘電体２６１２が介在している。本実施の形態では、誘電体２６１２は空気で形成されている。
【００１２】
マッチング導体２６０４は、内部導体２２０２を覆い、かつ、導体部分２６１０との間に誘電体２６１２を隔てて配設され、内部導体２２０２（導体部分２６１０）に近接する方向に（半径方向内側に）塑性変形可能な導電材料から形成されている。
本実施の形態では、マッチング導体２６０４は、接合部絶縁体２６０６の外周面から内部導体２２０２および接合部２６０２を覆い、かつ、導体部分２６１０との間に接合部絶縁体２６０６および誘電体２６１２を隔てて配設されている。言い換えると、接合部絶縁体２６０６はマッチング導体２６０４の内周面に密着して設けられている。
なお、マッチング導体２６０４は、接合部絶縁体２６０６の外周面から導体部分２６１０の全域を覆っていてもよい。
詳細に説明すると、マッチング導体２６０４の軸方向の一端は、同軸ケーブル２２の外部導体２２０６に電気的に接続されて取着され、マッチング導体２６０４が外部導体２２０６に取着されている部分を除く部分は、接合部絶縁体２６０６の外周面を覆うように接合部絶縁体２６０６に取着されている。したがって、マッチング導体２６０４と導体部分２６１０とが接合部絶縁体２６０６によって絶縁されており、これによりマッチング導体２６０４と導体部分２６１０とのショートが防止されている。
また、導体部分２６１０を覆うマッチング導体２６０４の部分に、その半径方向内側に塑性変形された変形部２６１４が設けられ、変形部２６１４を覆う接合部絶縁体２６０６にも、その半径内側に塑性変形された変形部２６１６が設けられている。
本実施の形態では、マッチング導体２６０４は導電性を有し塑性変形可能な材料で形成され、このような材料として、例えば、銅テープあるいは銅箔が使用可能である。
カバー２６０８は絶縁材料から形成され、外側絶縁体２２０８と第２の絶縁体２８０４との間にわたって設けられマッチング導体２６０４の外周面の全域を覆うように構成されている。したがって、マッチング導体２６０４の外周面がカバー２６０８によって絶縁されており、これによりマッチング導体２６０４と外部の導体などとのショートが防止されている。
【００１３】
マッチング導体２６０４と導体部分２６１０とは分布定数で構成された静電容量で結合されている。したがって、マッチング導体２６０４の内周面と導体部分２６１０との間の距離を調節することで前記静電容量は調整可能であり、マッチング部２６によるインピーダンスの整合は静電容量を調整することでなされる。
すなわち、マッチング部２６によるインピーダンスの整合は、マッチング導体２６０４の内周面と導体部分２６１０との間の距離を調節することでなされ、本実施の形態では、マッチング部２６によるインピーダンスの整合が変形部２６１４で行われている。
また、本実施の形態では、同軸ケーブル２２のインピーダンスは５０Ωであり、マッチング部２６による静電容量は１ｐＦ以内である。
【００１４】
次に、アンテナ装置２０の組み立て調整について説明する。
図４はマッチング導体２６０４が装着された状態を示す図、図５はマッチング導体２６０４に変形部２６１４が形成された状態を示す図、図６はアンテナ装置２０の入力信号の周波数に対する電圧定在波比の変化を示す線図である。
まず、図４に示すように、同軸ケーブル２２の内部導体２２０２と、アンテナ本体２８の導線２８０２とを半田付けにより電気的に接続して接合部２６０２を形成する。
そして、接合部絶縁体２６０６を第１の絶縁体２２０４の端部から第２の絶縁体２８０４の端部とにわたって取着して接合部２６０２の全域を覆う。
次に、マッチング導体２６０４を接合部絶縁体２６０６の外周面に取着して導体部分２６１０を覆う。すなわち、内部導体２２０２、あるいは、内部導体２２０２および接合部２６０２の双方、あるいは、内部導体２２０２、接合部２６０２および導線２８０２の全部を覆う。
次に、図６に示すように、同軸ケーブル２２のコネクタ２４を電圧定在波比測定用の測定装置に接続し、測定装置からアンテナ装置２０に所定の周波数の入力信号を供給し、電圧定在波比を測定する。
図６では、横軸に入力信号の周波数を示し、縦軸に電圧定在波比（ＶＳＷＲ：voltage standing wave ratio）を示す。
電圧定在波比はその値が１に近いほど、効率よく電波が送信されていることになる。
したがって、電圧定在波比を測定しつつ、その値が１に近づくように、マッチング導体２６０４の外周面を、指により、あるいは、工具により、あるいは、ロボットなどにより押圧して図５に示すように導体部分２６１０に近接する方向に塑性変形させる。
電圧定在波比が１に近い値となったならば、マッチング導体２６０４に対する押圧を中止し、図３に示すように、外側絶縁体２２０８と第２の絶縁体２８０４との間にわたってカバー２６０８を装着し、カバー２６０８でマッチング導体２２を覆うことでマッチング導体２２０４を保護する。
以上でアンテナ装置２０の組み立てが完了する。
【００１５】
なお、本実施の形態では、同軸ケーブル２２の全長が約１０ｃｍ、マッチング部２６の全長が約５ｃｍ、アンテナ本体２８の全長が約２０ｃｍ乃至５０ｃｍである場合に、筒部２６０４に変形部２６１４を形成することにより、図６に示すように、２．４０ＧＨｚ乃至２．４８ＧＨｚの範囲で電圧定在波比を１．５以下とすることができた。
【００１６】
次に、アンテナ装置２０の使用例について説明する。
図７はアンテナ装置２０を人体の頸部に掛止して使用した状態を示す説明図である。
アンテナ本体２８の端部と、同軸ケーブル２２の部分とが不図示の結合部材によって接続されることにより、人間の頸部に掛止可能な大きさの環状体３０が形成されており、環状体３０に無線機１０が取着されている。
なお、無線機１０から送信される電波の周波数帯域は２．４ＧＨｚとする。
本実施の形態では、環状体３０が頸部に掛止された状態で、アンテナ本体２８は、頸部が後方に臨む箇所から頸部の左右両側を通って上半身の前方に延在しているので、無線機４０からアンテナ装置２０に電波が供給されると、頸部の後方に位置するアンテナ本体２８箇所からは頸部の後方に向かって電波が放射され、頸部の左右両側に位置するアンテナ２０箇所からは頸部の左右両側に向かって電波が放射され、上半身の前方に位置するアンテナ本体２８箇所からは前方に電波が放射される。
そのため、ユーザの上半身を中心としてその周囲全周にわたって満遍なく電波が送信される。
したがって、人体の影響を受けることなく、周囲全周にわたって電波の送信を安定して確実に行う上で有利となる。
【００１７】
図８はアンテナ装置２０を用いた場合の電波の放射強度の測定結果の一例を示す図であり、アンテナ装置２０から放射される電波の放射強度の分布を示しており、中心はユーザの上半身の中心を示し、中心からの距離で放射強度を示している。すなわち、中心からの距離（径方向の距離）が大きいほど放射強度が強く、中心からの距離（径方向の距離）が小さいほど放射強度が弱いことを示している。
図８に示されているように、ユーザの中心に対してその周囲３６０度にわたって電波が満遍なく放射されていることがわかる。
【００１８】
次に、比較例について説明する。
図９は比較例のアンテナ装置の使用状態の説明図、図１０は比較例における電波の放射強度の測定結果の一例を示す図である。
図９に示す比較例では、無線機１０に設けられたアンテナ装置６０がモノポールアンテナや逆Ｆアンテナをプリント基板上に導電体のパターンで形成した平面アンテナや、プリント基板上にチップ部品として実装した極めて小型のアンテナなどで構成されている。
そのため、アンテナ装置６０から放射される２．４ＧＨｚ帯域の電波が上半身で遮蔽されてしまう。
したがって、図１０に示すように、第１の比較例では、人体の前方における２．４ＧＨｚ帯域の電波の放射強度は確保できるものの、人体の後方における２．４ＧＨｚ帯域の電波の放射強度はほとんどゼロに留まっている。
これに対して本実施の形態のように、アンテナ装置２０によって環状体３０を形成した場合には、人体の後方においても２．４ＧＨｚ帯域の電波の放射強度を確保でき、人体の影響を受けることなく、周囲全周にわたって電波の送信を安定して確実に行う上でより有利となっている。
【００１９】
本実施の形態のアンテナ装置２０によれば、マッチング部２６の導体部分２６１０を覆い、かつ、導体部分２６１０との間に誘電体２６１２を隔てて配設され導体部分２６１０に近接する方向に（半径方向内側に）塑性変形可能な導電材料で形成されたマッチング導体２６０４を設けたので、マッチング部２６によるインピーダンスの整合を、例えば、指により、あるいは、工具により、あるいは、ロボットにより、マッチング導体２６０４に変形部２６１４を設けることで簡単に行うことができる。
したがって、アンテナ装置２０の整合を確実にとるとともに、マッチング部２６の構成の簡素化、調整作業の容易化を図る上で有利となる。
また、本実施の形態のアンテナ装置２０では、アンテナ本体２８の長さに応じてインピーダンスの整合を簡単に行うことができる有利である。
【００２０】
なお、本実施の形態では、導体部分２６１０の外周面とこの導体部分２６１０を覆うマッチング導体２６０４の部分の内周面との間に空気からなる誘電体２６１２が介在している場合について説明したが、誘電体２６１２は空気以外の材料であってもよい。
ただし、誘電体２６１２として空気を用いると、誘電率εが１であるため、誘電率εが１よりも大きい誘電体を用いる場合に比べて次のような利点がある。
まず、マッチング部２６で形成される静電容量を単純化されたモデルで考える。すなわち、マッチング導体２６０４と導体部分２６１０との間に形成される静電容量をＣとし、マッチング導体２６０４と導体部分２６１０との間の距離をｄ、マッチング導体２６０４と導体部分２６１０とが互いに対面する部分の面積をＳとした場合、静電容量Ｃは式（１）で示される。
Ｃ＝Ｓε／ｄ      （１）
したがって、面積Ｓが同一であれば、距離ｄの変化による静電容量Ｃの変化量は、誘電率εの大きさに比例する。すなわち、距離ｄの僅かな変化で静電容量Ｃが大きく変化してしまい、静電容量Ｃを精密に調整する上で不利となる。
これに対して、誘電率εが１であれば、距離ｄの変化に対して静電容量Ｃの変化が小さいので、静電容量Ｃを精密に調整する上で有利となる。
なお、本実施の形態のように、導体部分２６１０の外周面とこの導体部分２６１０を覆うマッチング導体２６０４の部分の内周面との間に空気からなる誘電体２６１２に加えて接合部絶縁体２６０６が介在している場合には、厳密には接合部絶縁体２６０６の誘電率εを考慮する必要があるが、誘電体２６１２を空気で構成することによって静電容量Ｃを精密に調整する上で有利となる。
【００２１】
また、本実施の形態では、接合部絶縁体２６０６を導体部分２６１０の全域を覆うように第１の絶縁体２２０４の端部から第２の絶縁体２８０４の端部とにわたって設けた場合について説明したが、接合部絶縁体２６０６を省略してもよい。
ただし、本実施の形態のように接合部絶縁体２６０６を設けると、マッチング導体２６０４と導体部分２６１０とのショートを確実に防止でき有利となる。
また、本実施の形態では、カバー２６０８をマッチング導体２６０４の外周面の全域を覆うように外側絶縁体２２０８と第２の絶縁体２８０４との間にわたって設けた場合について説明したが、カバー２６０８を省略してもよい。
ただし、本実施の形態のようにカバー２６０８を設けると、マッチング導体２６０４と外部の導体などとのショートを確実に防止でき有利となる。
【００２２】
また、本実施の形態では、アンテナ装置２０が接続される無線機１０がワイヤレスマイク装置を構成している場合について説明したが、本発明のアンテナ装置２０が接続される無線機１０はこれに限定されるものではなく、ハードディスクや半導体メモリなどの記憶装置を内蔵し、これら記憶装置に記録されている音声データ、画像データ、あるいは、その他のデータなどを送信し、あるいは、それらデータを外部の無線機から受信して記憶装置に記録するものであってもよい。
また、本実施の形態では、アンテナ装置２０によって送受信する電波の周波数帯域が２．４ＧＨｚである場合について説明したが、アンテナ装置２０によって送受信する電波の周波数帯域は２．４ＧＨｚに限定されるものではないことは無論である。
【図面の簡単な説明】
【００２３】
【図１】本実施の形態におけるアンテナ装置２０が接続される無線機１０の構成を示すブロック図である。
【図２】アンテナ装置２０の構成を示す図である。
【図３】アンテナ装置２０の構造を示す断面図である。
【図４】マッチング導体２６０４が装着された状態を示す図である。
【図５】マッチング導体２６０４に変形部２６１４が形成された状態を示す図である。
【図６】アンテナ装置２０の入力信号の周波数に対する電圧定在波比の変化を示す線図である。
【図７】アンテナ装置２０を人体の頸部に掛止して使用した状態を示す説明図である。
【図８】アンテナ装置２０を用いた場合の電波の放射強度の測定結果の一例を示す図である。
【図９】比較例のアンテナ装置の使用状態の説明図である。
【図１０】比較例における電波の放射強度の測定結果の一例を示す図である。
【符号の説明】
【００２４】
２０……アンテナ装置、２２……同軸ケーブル、２２０２……内部導体、２２０４……第１の絶縁体、２２０６……外部導体、２６……マッチング部、２６０２……接合部、２６０４……マッチング導体、２６０６……接合部絶縁体、２６１０……導体部分、２６１２……誘電体２８……アンテナ本体、２８０２……導線、２８０４……第２の絶縁体。
【図１】
2007134773.tif 000003
【図２】
2007134773.tif 000004
【図３】
2007134773.tif 000005
【図４】
2007134773.tif 000006
【図５】
2007134773.tif 000007
【図６】
2007134773.tif 000008
【図７】
2007134773.tif 000009
【図８】
2007134773.tif 000010
【図９】
2007134773.tif 000011
【図１０】
2007134773.tif 000012